(57)【要約】【課題】漬物床の撹拌機能に優れた手袋を提供する。【解決手段】柔軟性を有する非透水性材料により形成され、前腕が挿入される前腕部１２と、手の平が挿入される手の平部１４と、親指が挿入される第１指部１６と、人差し指が挿入される第２指部１８と、中指、薬指および小指が挿入される第３指部２０と、第１指部１６の第２指部１８側の側面に突設された第１ヘラ部２２と、第２指部１８の第１指部１６側の側面に突設された第２ヘラ部２４と、第３指部２０の外側面に突設された第３ヘラ部２６とを有する手袋１０とする。【選択図】図１
2013253339.tif 000002
【特許請求の範囲】
【請求項１】
非透水性材料により形成された手袋であって、前腕が挿入される筒状の前腕部と、前記前腕部に連設され、手の平が挿入される筒状の手の平部と、前記手の平部に連設され、親指が挿入される袋状の第１指部と、前記手の平部に連設され、人差し指が挿入される袋状の第２指部と、前記手の平部に連設され、中指、薬指および小指が挿入される袋状の第３指部と、前記第１指部の前記第２指部側の側面に手指の長手方向に沿って突設された板状の第１ヘラ部と、前記第２指部の前記第１指部側の側面に手指の長手方向に沿って突設された板状の第２ヘラ部と、前記第３指部の外側面に手指の長手方向に沿って突設された板状の第３ヘラ部とを具備することを特徴とする漬物床撹拌手袋。
【請求項２】
前記第１ヘラ部と前記第２ヘラ部とは連続していることを特徴とする請求項１に記載の漬物床撹拌手袋。
【請求項３】
左手用手袋と右手用手袋とが同一の形状であることを特徴とする請求項１または２に記載の漬物床撹拌手袋。
【請求項４】
前記非透水性材料は柔軟性を有することを特徴とする請求項１〜３のいずれか１項に記載の漬物床撹拌手袋。
【発明の詳細な説明】
【技術分野】
【０００１】
本発明は、ぬか床等の漬物床を撹拌するための手袋に関する。
【背景技術】
【０００２】
従来、手袋を用いてぬか床を撹拌する装置として、特許文献１のものが提案されている。特許文献１の装置は、ぬか床の撹拌は備え付けの専用手袋を用いて行い、強烈な臭いは、吸入弁、排気弁を換気扇に接続し、外気に排出するものである（要約）。
【先行技術文献】
【特許文献】
【０００３】
【特許文献１】特開２０１０−２００７３２号公報
【発明の概要】
【発明が解決しようとする課題】
【０００４】
特許文献１では、ぬか床を撹拌するための専用手袋として、５本指の形の手袋（図１１）、２本指の形の手袋（図１２）および３本指の形の手袋（図１３）が示されている。
【０００５】
しかしながら、従来、ぬか床を撹拌するための手袋として、さらに優れた撹拌機能を有するものが望まれていた。
【０００６】
本発明は、上述した事情に鑑みてなされたもので、漬物床の撹拌機能に優れた手袋を提供することを目的とする。
【課題を解決するための手段】
【０００７】
本発明は、前記目的を達成するため、非透水性材料により形成された手袋であって、前腕が挿入される筒状の前腕部と、前記前腕部に連設され、手の平が挿入される筒状の手の平部と、前記手の平部に連設され、親指が挿入される袋状の第１指部と、前記手の平部に連設され、人差し指が挿入される袋状の第２指部と、前記手の平部に連設され、中指、薬指および小指が挿入される袋状の第３指部と、前記第１指部の前記第２指部側の側面に手指の長手方向に沿って突設された板状の第１ヘラ部と、前記第２指部の前記第１指部側の側面に手指の長手方向に沿って突設された板状の第２ヘラ部と、前記第３指部の外側面に手指の長手方向に沿って突設された板状の第３ヘラ部とを具備することを特徴とする漬物床撹拌手袋を提供する。
【０００８】
本発明において、手袋を形成する非透水性材料は、柔軟性を有することが好ましく、柔軟性を有する材料で手袋を形成することにより、漬物床の撹拌機能を向上させることができる。このような柔軟性を有する非透水性材料としては、例えば、合成ゴム、天然ゴム等のゴム類；ラテックス；塩化ビニル樹脂、シリコーン樹脂、ウレタン樹脂等のプラスチック類を挙げることができるが、これらに限定されるものではない。
【０００９】
本発明において、漬物床としては、ぬか床、麹床、味噌床、酒粕床等を挙げることができるが、これらに限定されるものではない。
【００１０】
本発明の漬物床撹拌手袋は、第１ヘラ部と第２ヘラ部とが連続している構成とすることができ、これにより漬物床の撹拌機能を向上させることができる。
【００１１】
本発明の漬物床撹拌手袋は、左手用手袋と右手用手袋とが同一の形状である構成とすることができ、これにより１つの手袋を左右兼用とすることが可能となり、手袋の使い勝手を向上させることができる。
【発明の効果】
【００１２】
本発明の漬物床撹拌手袋は、ぬか床等の漬物床の撹拌機能に優れている。具体的には、下記の作用効果を奏する。
（１）本発明の漬物床撹拌手袋は、手指を挿入する部分として、親指を挿入する第１指部と、人差し指を挿入する第２指部と、中指、薬指および小指を挿入する第３指部とを設けてある。したがって、第３指部の面積が大きく、この大きい第３指部で漬物床を効率よく撹拌することができる。また、第１指部と第２指部とで野菜等の漬け込み材料をうまく摘むことができる。すなわち、本発明の手袋では、漬物床全体をかき混ぜるという力のいる作業は面積が大きく３本の指が入った第３指部で主に行い、漬け込み材料を摘むという細かい作業は第１指部および第２指部で行うことにより、漬物床の撹拌機能を向上させると同時に、漬け込み材料の漬け込み作業や取り出し作業を容易にしている。
（２）本発明の漬物床撹拌手袋は、前述した第１ヘラ部、第２ヘラ部および第３ヘラ部を設けてある。そのため、これら第１〜第３ヘラ部によって漬物床を効率よく撹拌することができる。この場合、特に第３ヘラ部によって漬物床の隅々まで撹拌することができる。
（３）第１ヘラ部と第２ヘラ部を連続させた場合には、漬物床の撹拌機能がさらに向上するとともに、第１ヘラ部および第２ヘラ部で野菜に付着した漬物床を無駄なく取ることができる。
（４）柔軟性を有する非透水性材料で手袋を形成した場合には、漬物床の撹拌機能がさらに向上する。
（５）左手用手袋と右手用手袋とを同一の形状とした場合には、１つの手袋を左右兼用とすることが可能となり、手袋の使い勝手を向上させることができる。
【図面の簡単な説明】
【００１３】
【図１】本発明に係る漬物床撹拌手袋の一実施形態を示す正面図である。
【図２】図１の手袋の平面図である。
【発明を実施するための形態】
【００１４】
以下、本発明の実施形態につき図面を参照して詳しく説明する。図１は本発明に係る漬物床撹拌手袋の一実施形態を示す正面図、図２は同手袋の平面図である。
【００１５】
本例の漬物床撹拌手袋１０は、シリコーンゴム（柔軟性を有する非透水性材料）により形成されたもので、前腕が挿入される筒状の前腕部１２と、前腕部１２に連設され、手の平が挿入される筒状の手の平部１４と、手の平部１４に連設され、親指が挿入される袋状の第１指部１６と、手の平部１４に連設され、人差し指が挿入される袋状の第２指部１８と、手の平部１４に連設され、中指、薬指および小指が挿入される袋状の第３指部２０とを有する。
【００１６】
また、本例の漬物床撹拌手袋１０は、第１指部１６の第２指部１８側の側面に手指の長手方向に沿って突設された板状の第１ヘラ部２２と、第２指部１８の第１指部１６側の側面に手指の長手方向に沿って突設された板状の第２ヘラ部２４と、第３指部２０の外側面に手指の長手方向に沿って突設された板状の第３ヘラ部２６とを有する。この場合、第１ヘラ部２２および第２ヘラ部２４は略長方形状であり、第３ヘラ部２６は略三角形状である。また、第１ヘラ部２２と第２ヘラ部２４とは基端側で連続している。
【００１７】
本例の漬物床撹拌手袋１０は、左手用手袋と右手用手袋とが同一の形状である。
【００１８】
また、本例の漬物床撹拌手袋１０は、前腕部１２の基端部近傍にリング状の薄肉部２８が形成され、この薄肉部２８で前腕部１２の基端側を先端方向に折り返すことができるようになっており、これにより前腕部１２の基端側に、先端方向に折り返し可能な折り返し部３０が設けられている。
【００１９】
図中３２は、手袋１０をフックなどに吊すための円形孔である。
【００２０】
本例の漬物床撹拌手袋１０は、下記の作用効果を奏する。
（１）漬物床全体をかき混ぜるという力のいる作業は面積が大きく３本の指が入った第３指部２０で主に行い、漬け込み材料を摘むという細かい作業は第１指部１６および第２指部１８で行うことができるので、漬物床を効率よく撹拌することができるとともに、漬け込み材料の漬け込み作業や取り出し作業が容易である。
（２）第１〜第３ヘラ部２２、２４、２６によって漬物床をさらに効率よく撹拌することができる。この場合、特に第３ヘラ部２６によって漬物床の隅々まで撹拌することができる。
（３）第１ヘラ部２２と第２ヘラ部２４とが連続しているため、漬物床の撹拌機能が向上しているとともに、第１ヘラ部２２および第２ヘラ部２４で野菜に付着した漬物床を無駄なく取ることができる。
（４）柔軟性を有する非透水性材料で手袋を形成しているため、漬物床の撹拌機能が向上している。
（５）左手用手袋と右手用手袋とを同一の形状としているので、１つの手袋を左右兼用とすることが可能となり、手袋の使い勝手が向上している。
（６）前腕部１２の基端側に折り返し可能な折り返し部３０を設けたので、折り返し部３０を先端方向に折り返すことにより、手袋を伝わった水などを折り返し部で受け止め、水などが服や身体に付くことを防ぐことができる。
【符号の説明】
【００２１】
１０  漬物床撹拌手袋
１２  前腕部
１４  手の平部
１６  第１指部
１８  第２指部
２０  第３指部
２２  第１ヘラ部
２４  第２ヘラ部
２６  第３ヘラ部
【図１】
2013253339.tif 000003
【図２】
2013253339.tif 000004